(57)【要約】【課題】商品説明を容易に見ることができるだけでなく、所定売り場スペース内においてアイテム数を飛躍的に増やすことができる商品陳列用容器を提供する。【解決手段】商品を収納するための本体１Ａと、この本体１Ａの左右幅方向一端から延出されるとともに該本体１Ａの前方に位置させて前記商品８に関する説明を行うための表示部１Ｂとを備え、前記本体１Ａの上部及び前記表示部１Ｂの上部のそれぞれに、前記吊下用孔６，７を備えさせ、前記表示部用吊下用孔７を介して吊り下げられる表示部１Ｂに対して後方に位置する前記本体１Ａを前記吊下部材５の長手方向と交差する斜め姿勢で吊り下げるべく、前記本体用吊下用孔７の左右幅寸法を該表示部用吊下用孔７の左右幅方向の寸法よりも大きく構成した。【選択図】図６
2008093200.tif 000002
【特許請求の範囲】
【請求項１】
吊下部材にそれの長手方向の一端から挿入して吊り下げるための吊下用孔を備えてなる商品陳列用容器であって、
商品を収納するための本体と、この本体の左右幅方向一端から延出されるとともに該本体の前方に位置させて前記商品に関する説明を行うための表示部とを備え、前記本体の上部及び前記表示部の上部のそれぞれに、前記吊下用孔を備えさせ、前記表示部用吊下用孔を介して吊り下げられる表示部に対して後方に位置する前記本体を前記吊下部材の長手方向と交差する斜め姿勢で吊り下げるべく、前記本体用吊下用孔の左右幅寸法を該表示部用吊下用孔の左右幅方向の寸法よりも大きく構成したことを特徴とする商品陳列用容器。
【請求項２】
前記本体が、商品を収納する収納部を構成する合成樹脂製のブリスター本体と、このブリスター本体の開口を閉じるための台紙とを備えたブリスターパックからなり、前記台紙の左右幅方向一端から折り曲げて前記表示部を構成したことを特徴とする請求項１記載の商品陳列用容器。
【請求項３】
前記表示部の左右幅寸法を、前記本体の左右幅寸法より小さく設定したことを特徴とする請求項１又は２記載の商品陳列用容器。
【請求項４】
前記表示部に、これの後方に位置する前記本体を視認可能な切欠き部を形成してなる請求項１〜３のいずれかに記載の商品陳列用容器。
【請求項５】
前記表示部用吊下用孔及び前記本体用吊下用孔を前記吊下部材に挿入して前記表示部及び前記本体を吊り下げた状態で、該表示部及び該本体が上下方向及び左右方向へ移動することを規制するための位置規制用の孔として機能させるべく、該２つの吊下用孔を構成したことを特徴とする請求項１〜４のいずれかに記載の商品陳列用容器。
【発明の詳細な説明】
【技術分野】
【０００１】
本発明は、店頭に商品を吊り下げるための商品陳列用容器に関する。
【背景技術】
【０００２】
上記のように店頭に商品を吊り下げる場合には、商品を商品陳列用容器の一例であるブリスターパックに収納し、商品が収納されたブリスターパックを陳列用のスタンドに吊り下げていくことになる。前記スタンドとしては、左右方向に延びる横支柱に、前方側へ直線状に伸びる吊下部材の一例であるハンガーバーの多数を左右方向に所定間隔を置いて備えさせて構成されたものが用いられている。そして、特定のハンガーバーにブリスターパックの上端の吊下用孔を挿入することにより、ハンガーバーの前後方向に並べて所定数のブリスターパックをそれの表面が正面を向いた状態で吊り下げてから、次のハンガーバーに前記商品とは異なる種類の商品が収納されたブリスターパックを前記と同様にそれの表面が正面を向いた状態で前後方向に並べた状態で吊り下げて、多種類の商品の吊り下げ作業を完了するようにしている（例えば、特許文献１参照）。
【特許文献１】特開平５−３８２２号公報（図１参照）
【発明の開示】
【発明が解決しようとする課題】
【０００３】
上記特許文献１の商品陳列用容器では、商品を収納する収納部の他に商品説明用の部分を商品の両側に位置する台紙に備えさせることから、容器の左右幅寸法が商品の左右幅寸法よりも大きくなってしまい、左右方向で隣り合う容器をそれら容器同士間に隙間の無い状態で吊り下げたとしても、特に狭い売り場スペース内では多種類の商品を吊り下げることができない不都合があり、改善の余地があった。尚、ＰＯＳ管理が進んでいる近年において、売り場に並ぶ商品のアイテム数を増やすことによって、売り上げに繋がる顧客満足度を高めることができることから、同一種類の商品数を犠牲にしてもアイテム数を増やすことが売り場での課題となっている。
又、商品の説明書きは台紙表面に印刷されているため、ハンガーバーの最前列に吊り下げられている容器では、ハンガーバーの前端から商品の前後寸法だけ台紙表面が奥まった位置になることから、特に商品が前後方向に大きなものであると、商品説明が見え難いものになり、容器をハンガーバーから一々取り外してから商品説明を見なければならず、煩わしいものであった。
又、前記ハンガーバーの前端にプライスカードを備えているものにあっては、容器の台紙の一部（上部）がプライスカードにて隠れてしまうことになるため、それを回避するためには、更に台紙を大きくして商品説明をプライスカードにて隠れない箇所に印刷することになるため、更に容器が大型化してしまうことになっていた。
【０００４】
本発明が前述の状況に鑑み、解決しようとするところは、吊下部材から容器を取り外さなくても、商品説明を容易に見ることができるだけでなく、所定売り場スペース内においてアイテム数を飛躍的に増やすことができる商品陳列用容器を提供することを課題とする。
【課題を解決するための手段】
【０００５】
本発明の商品陳列用容器は、吊下部材にそれの長手方向の一端から挿入して吊り下げるための吊下用孔を備えてなる商品陳列用容器であって、商品を収納するための本体と、この本体の左右幅方向一端から延出されるとともに該本体の前方に位置させて前記商品に関する説明を行うための表示部とを備え、前記本体の上部及び前記表示部の上部のそれぞれに、前記吊下用孔を備えさせ、前記表示部用吊下用孔を介して吊り下げられる表示部に対して後方に位置する前記本体を前記吊下部材の長手方向と交差する斜め姿勢で吊り下げるべく、前記本体用吊下用孔の左右幅寸法を該表示部用吊下用孔の左右幅方向の寸法よりも大きく構成したことを特徴としている。
上記のように、商品が収納された本体を吊下部材の長手方向と交差する斜め姿勢で吊り下げることによって、本体を吊下部材の長手方向と直交する姿勢、つまり本体の表示面が正面を向いた姿勢で吊り下げた場合に比べて、本体に要する左右幅のスペースを小さくすることができる。又、商品が収納された本体の前方に位置する表示部を本体とは無関係に吊下部材の前端に位置させることができる。前記本体と表示部とをそれぞれの吊下用孔にて吊下部材にそれの長手方向（前後方向）２箇所で支持させることによって、１箇所でのみ吊り下げる構成に比べて、前後方向及び左右方向に本体及び表示部が不測に移動することがない。
【０００６】
前記本体が、商品を収納する収納部を構成する合成樹脂製のブリスター本体と、このブリスター本体の開口を閉じるための台紙とを備えたブリスターパックからなり、前記台紙の左右幅方向一端から折り曲げて前記表示部を構成してもよい。この場合、１枚の紙を折り曲げることによって台紙と表示部とを形成してもよいし、台紙に対して別に構成された表示部を連結し、それらの連結部で折り曲げてもよい。前記台紙及び表示部の材料としては、紙の他、合成樹脂などであってもよい。
【０００７】
前記表示部の左右幅寸法を、前記本体の左右幅寸法より小さく設定してもよい。
【０００８】
前記表示部に、これの後方に位置する前記本体を視認可能な切欠き部を形成してもよい。
【０００９】
前記表示部用吊下用孔及び前記本体用吊下用孔を前記吊下部材に挿入して前記表示部及び前記本体を吊り下げた状態で、該表示部及び該本体が上下方向及び左右方向へ移動することを規制するための位置規制用の孔として機能させるべく、該２つの吊下用孔を構成してもよい。
【発明の効果】
【００１０】
商品が収納された本体を吊下部材の長手方向と交差する斜め姿勢で吊り下げることによって、本体を吊下部材の長手方向と直交する姿勢、つまり本体の表示面が正面を向いた姿勢で吊り下げた場合に比べて、本体に要する左右幅のスペースを小さくすることができるから、その分アイテム数を左右方向に増やすことができ、所定売り場スペース内においてアイテム数を飛躍的に増やすことができる商品陳列用容器を提供することができる。しかも、商品が収納された本体の前方に位置する表示部を本体とは無関係に吊下部材の前端に位置させることができるから、吊下部材から容器を取り外さなくても、商品説明を容易に見ることができ、商品展示に適した構成にすることができる。又、本体と表示部とをそれぞれの吊下用孔にて吊下部材にそれの長手方向（前後方向）２箇所で支持させることによって、１箇所でのみ吊り下げる構成に比べて、前後方向及び左右方向に本体及び表示部が不測に移動することがないから、吊り下げられている商品陳列用容器を定期的に元の姿勢や位置に戻す作業を不要にすることができ、商品管理面においても有利になる。又、本体とは別に表示部を備えさせることによって、本体を商品を収容できる程度の大きさに抑えることができるから、さらに商品陳列用容器の左右幅寸法を小さくすることができる。
【００１１】
前記表示部に、これの後方に位置する前記本体を視認可能な切欠き部を形成している場合には、その切欠き部を通して表示部の後方に位置する本体に収納された商品を確認することができる利点がある。
【００１２】
前記表示部の左右幅寸法を、前記本体の左右幅寸法より小さく設定した場合には、左右幅に要するスペースを小さくすることができるから、アイテム数の増大を図ることができる。
【００１３】
前記表示部用吊下用孔及び前記本体用吊下用孔を前記吊下部材に挿入して前記表示部及び前記本体を吊り下げた状態で、該表示部及び該本体が上下方向及び左右方向へ移動することを規制するための位置規制用の孔として機能させるべく、該２つの吊下用孔を構成している場合には、前後方向及び左右方向に本体及び表示部が不測に移動することを確実に阻止することができ、商品管理面においてもさらに有利になる。
【発明を実施するための最良の形態】
【００１４】
図１〜図３に、店頭等において３種類の商品陳列用容器１，２，３が吊り下げ支持された状態を示している。図に示す４は、陳列スタンドの一部を構成する左右方向に延びる断面形状角型の横支柱であり、この横支柱４に、これの前方側に一直線状に伸びる３本の吊下部材５を取り付け、これら吊下部材５に種類の異なる商品陳列用容器１，２，３をそれぞれ２個ずつ吊り下げている。ここでは、３種類の商品陳列用容器１，２，３をそれぞれ２個ずつ吊り下げた場合を示しているが、商品陳列用容器の種類及び本の吊下部材５に吊り下げる個数は自由に変更可能である。
【００１５】
前記商品陳列用容器１，２，３の上端には、前記吊下部材５の長手方向の一端（ここでは前端であるが後端であってもよい）から挿入して吊り下げるための前後に吊下用孔６，７を備えており、詳述すれば、商品８又は９又は１０を収納するための本体１Ａ又は２Ａ又は３Ａと、この本体１Ａ又は２Ａ又は３Ａの左右幅方向一端から延出されるとともに本体１Ａ又は２Ａ又は３Ａの前方に位置させて商品８又は９又は１０に関する説明を行うための表示部１Ｂ又は２Ｂ又は３Ｂとを備え、前記本体１Ａ又は２Ａ又は３Ａの上部及び前記表示部１Ｂ又は２Ｂ又は３Ｂの上部のそれぞれに、前記吊下用孔６，７を備えさせ、前記表示部用吊下用孔７を介して吊り下げられる表示部１Ｂ又は２Ｂ又は３Ｂに対して後方に位置する前記本体１Ａ又は２Ａ又は３Ａを前記吊下部材５の長手方向と交差する斜め姿勢で吊り下げるべく、前記本体用吊下用孔６の左右幅寸法を該表示部用吊下用孔７の左右幅方向の寸法よりも大きく構成している。従って、吊下部材５に吊り下げられた商品陳列用容器１，２，３のうちの前側に位置する商品陳列用容器１，２，３において表示部１Ｂ又は２Ｂ又は３Ｂを吊下部材５の前端に位置させることができるから、商品陳列用容器１，２，３を吊下部材５から取り外すことなく、商品説明等を真正面から確認することができるようになっている。図２では、表示部１Ｂ又は２Ｂ又は３Ｂと本体１Ａ又は２Ａ又は３Ａとのなす角度を６０度に設定しているが、商品８，９，１０の大きさ等に応じて変更することができる。又、本体１Ａ又は２Ａ又は３Ａ及び表示部１Ｂ又は２Ｂ又は３Ｂを平面視において一直線となるものを示しているが、湾曲させたものであってもよいし、中間部で折れ曲がったものであってもよい。ここでは、正面視において右端から後方側に行くほど左端側に位置する左傾斜姿勢に本体１Ａ又は２Ａ又は３Ａを折り曲げたが、左端から後方側に行くほど右端側に位置する右傾斜姿勢に本体１Ａ又は２Ａ又は３Ａを折り曲げてもよい。前記表示部１Ｂ又は２Ｂ又は３Ｂの左右幅寸法を、前記本体１Ａ又は２Ａ又は３Ａの左右幅寸法より小さく設定して、左右方向に要する表示部のスペースを小さく抑えることができるようにしている。
【００１６】
前記本体１Ａ又は２Ａ又は３Ａが、商品８，９，１０を収納する収納部を構成する合成樹脂製のブリスター本体１ａ又は２ａ又は３ａと、このブリスター本体１ａ又は２ａ又は３ａの開口を閉じるための台紙１ｂ又は２ｂ又は３ｂとを備えたブリスターパックからなり、前記台紙１ａ又は２ｂ又は３ｂの左右幅方向一端から折り曲げて折り曲げ部１Ｓを形成することにより前記表示部１Ｂ又は２Ｂ又は３Ｂを構成しているが、図９に示すように、別の紙１１を本体１ａの左右幅方向一端の裏面に接着剤などを用いて連結したものから表示部１Ｂを構成することもできる。前記台紙１ｂ又は２ｂ又は３ｂ及び表示部１Ｂ又は２Ｂ又は３Ｂの材料としては、紙の他、合成樹脂あるいは薄板の金属などであってもよい。図９では、前記本体用吊下用孔６の左右方向中央に後述する吊下用丸棒１３が係止する半円状の切欠き６ａを上方へ突出形成してあり、丸棒１３に対する本体用吊下用孔６の左右方向の位置決めを切欠き６ａにて行うようにしてもよい。又、本体１Ａ又は２Ａ又は３Ａをブリスターパックから構成する他、蓋付きの容器などであってもよい。前記表示部１Ｂ又は２Ｂ又は３Ｂには、商品の説明文や商品のイラスト又は写真などを印刷したり、印刷された紙を接着することになり、図に示す１Ｈ，２Ｈ，３Ｈがその表示領域を示しているが、表示領域は自由に変更できる。
【００１７】
前記吊下部材５は、図１〜図３に示すように、前記横支柱４に上方から挟み込んで係止固定可能な前後一対の挟持部１２Ａ，１２Ｂとこれら挟持部１２Ａ，１２Ｂの上端同士を連結する天板部１２Ｃとからなる門型の係止部１２を備え、この係止部１２の前側の挟持部１２Ａの上部から前方に伸びる吊下用丸棒１３と、前記天板部１２Ｃの前端側上面から上方へ伸びてから９０度折れ曲がって前方側に伸びるとともに前端にプライスカード１４が水平軸芯Ｘ周りで揺動自在に備えられた第２の丸棒１５とを備えたハンガーバーからなっているが、第２の丸棒１５の無いものであってもよい。又、吊下用丸棒１３に代えて、板状のものや丸棒をＵ字状に折り曲げたものなど、吊下部材５の形状及び具体的構成は自由に変更可能である。
【００１８】
前記表示部用吊下用孔７及び前記本体用吊下用孔６を前記吊下部材５に挿入して前記表示部１Ｂ及び前記本体１Ａを吊り下げた状態で、該表示部１Ｂ及び該本体１Ａが上下方向及び左右方向へ移動することを規制するための位置規制用の孔として機能させるべく、該２つの吊下用孔６，７を構成している。具体的には、図４〜図６に示すように、表示部用吊下用孔７を、丸棒１３の外形寸法と同一又は少し大きな円形の貫通孔に形成され、本体用吊下用孔６を、丸棒１３の直径寸法と同一又は少し大きな上下寸法を有し、左右方向の寸法が、丸棒１３に挿入して表示部１Ｂ又は２Ｂ又は３Ｂと本体１Ａ又は２Ａ又は３Ａとのなす角度が６０度になったときに左右両縁が丸棒１３の左右側面に接触して該角度（６０度）を維持することができる左右寸法に設定された長孔に形成されている。このように２つの孔６，７を形成することによって、吊り下げられた商品陳列用容器１又は２又は３が丸棒１３に対して上下方向及び左右方向のいずれの方向へも不測に移動することを確実に阻止することができるようになっている。前記本体用吊下用孔６を長孔にしているが、表示部用吊下用孔７よりも大きな円形（矩形でもよい）でかつ本体１Ａを傾斜した状態で維持できる程度の大きさの貫通孔であってもよく、表示部用吊下用孔７及び前記本体用吊下用孔６の形状及び大きさは、丸棒１３に対して大きく移動しない程度であれば、自由に変更することができる。又、前記本体用吊下用孔６及び表示部用吊下用孔７としては、図に示される形状の他、例えば上端の一部が開放された切欠きなどであってもよく、表示部１Ｂ及び本体１Ａを吊り下げることができるものであれば、本体用吊下用孔６及び表示部用吊下用孔７の具体的構成は自由に変更することができる。
【００１９】
前記表示部１Ｂに、これの後方に位置する前記本体１Ａの商品８を視認可能な切欠き部を形成してもよい。具体的には、図７に示すように、表示部１Ｂの上下方向中間部に縦長の長方形の開口１６を形成して、本体１Ａの商品８を視認可能な切欠き部を構成している。又、図８では、本体１Ａの折り曲げ部１Ｓの上部側のみから延びる表示部１Ｂとすることにより、下側に切欠き部１７を形成することができ、この切欠き部１７を通して本体１Ａの商品８を視認することができるようになっている。図７及び図８に示す１Ｈは、前記と同様に表示領域を示している。
【００２０】
前記台紙１ｂが紙からなることから、折り曲げ部１Ｓの角度を変更することができる利点があるが、台紙１ｂを紙ではなく、合成樹脂や金属にて構成することによって、折り曲げ部１Ｓが所定角度に折り曲げられた状態を維持することができるように構成することもできる。
【００２１】
図１〜図３では、商品陳列用容器１，２，３を吊り下げる場合には、本体１Ａの孔６を通してから表示部１Ｂの孔７を通すようにしているが、後端から吊り下げるハンガーバーである場合には、表示部１Ｂの孔７を通してから本体１Ａの孔６を通すことになる。
【００２２】
前述したように、前記表示部１Ｂの左右幅寸法Ｌ１を本体１Ａの左右幅寸法Ｌ２よりも小さく設定した（図４参照）が、それら寸法Ｌ１，Ｌ２を同一寸法にしたり、表示部１Ｂの左右幅寸法Ｌ１を本体１Ａの左右幅寸法Ｌ２よりも大きく設定して実施することができる。又、表示部１Ｂを正面から見たときに、本体１Ａが見えないように本体１Ａの斜め角度を設定することによって、左右方向でのスペースを小さくすることができる利点があるが、図４の２点鎖線で示すように、本体１Ａの左端が表示部１Ｂの左端から食み出して本体１Ａの左端部分が表示部１Ｂを正面から見たときに見えるように本体１Ａの斜め角度を設定してもよい。
【００２３】
前記本体１Ａをブリスターパックに代えて、図１０に示すように、紙や合成樹脂でなる箱型状のものであってもよい。図１０では、本体１Ａに開閉自在な蓋部１Ｆを上端（横側又は底部でもよい）に備えた箱部１Ｖを備え、本体１Ａと表示部１Ｂとが中間板部１Ｃにより構成されているが、中間板部１Ｃ箱部１Ｖの一部から構成してもよい。又、図１０に示される構成は箱型状の一例を示すものであって、他の構成であってもよい。又、箱型状以外の袋状のものであってもよい。
【００２４】
図１１（ａ）に示すように、本体１Ａと表示部１Ｂとの角度を設定角度に維持するための角度維持手段１８を備えさせて実施することもできる。この角度維持手段１８は、本体１Ａと表示部１Ｂのうちの一方（ここでは本体１Ａ）の上端に形成された切欠き１８Ｂ（孔であってもよい）に係止可能な係止部１８ａを先端に備えた折り曲げ自在な係止片１８Ａを他方（ここでは表示部１Ｂ）に備えさせ、上方に突出した係止片１８Ａを表示部１Ｂの上端部にて折り曲げてほぼ水平姿勢にした後（図１１（ｂ）参照）、本体１Ａ又は表示部１Ｂ又はそれら両方を接近する側に移動させることによって、係止部１８ａを切欠き１８Ｂに係止させることにより、本体１Ａと表示部１Ｂとの角度が変更されることがないようにしている。ここでは、本体１Ａと表示部１Ｂの上端同士間に角度維持手段１８を備えさせたが、本体１Ａと表示部１Ｂの下端同士間または上下方向中間同士間に備えさせて実施することもできる。又、図１１（ａ）では、解除自在な係止により角度維持手段１８を構成するものを示したが、接着剤により完全に固定するものであってもよい。図に示す１９は、商品が収納された箱体であるが、どのような構成であってもよい。説明しなかった他の部分は、前記示したものと同一であるため、同一の符号を付すとともに、説明を省略する。
【図面の簡単な説明】
【００２５】
【図１】吊下部材に商品陳列用容器を吊り下げた状態を示す正面図である。
【図２】吊下部材に商品陳列用容器を吊り下げた状態を示す横断平面図である。
【図３】吊下部材に１つ商品陳列用容器を吊り下げた状態を示す斜視図である。
【図４】丸棒に商品陳列用容器を吊り下げた状態を示す要部の平面図である。
【図５】吊下部材に１つ商品陳列用容器を吊り下げた状態を示す要部の縦断側面図である。
【図６】商品陳列用容器の斜視図である。
【図７】第２の商品陳列用容器の斜視図である。
【図８】第３の商品陳列用容器の斜視図である。
【図９】第４の商品陳列用容器の斜視図である。
【図１０】第５の商品陳列用容器の斜視図である。
【図１１】（ａ）は第６の商品陳列用容器の展開正面図、（ｂ）は係止部を切欠きに係止保持する直前の状態を示す平面図、（ｃ）は係止部を切欠きに係止保持した状態を示す平面図である。
【符号の説明】
【００２６】
１，２，３…商品陳列用容器、１Ａ，２Ａ，３Ａ…本体（ブリスターパック）、１Ｂ，２Ｂ，３Ｂ…表示部、１ａ，２ａ，３ａ…ブリスター本体、１ｂ，２ｂ，３ｂ…台紙、１Ｃ…中間板部、１Ｈ，２Ｈ，３Ｈ…表示領域、１Ｓ…折り曲げ部、４…横支柱、５…吊下部材（ハンガーバー）、６，７…吊下用孔、８，９，１０…商品、１１…紙、１２…係止部、１２Ａ，１２Ｂ…挟持部、１２Ｃ…天板部、１３，１５…丸棒、１４…プライスカード、１６…開口（切欠き部）、１７…切欠き部、１８…角度維持手段、１８Ａ…係止片、１８ａ…係止部、１８Ｂ…切欠き、１９…箱体
【図１】
2008093200.tif 000003
【図２】
2008093200.tif 000004
【図３】
2008093200.tif 000005
【図４】
2008093200.tif 000006
【図５】
2008093200.tif 000007
【図６】
2008093200.tif 000008
【図７】
2008093200.tif 000009
【図８】
2008093200.tif 000010
【図９】
2008093200.tif 000011
【図１０】
2008093200.tif 000012
【図１１】
2008093200.tif 000013